(57)【特許請求の範囲】
【請求項１】
キャパシタと、
上記キャパシタに接続され、第１の制御信号に応答するスイッチと、
勾配の第１の変化が生じる時点が上記第１の制御信号に応じて決められる鋸波信号を偏向周波数に関係した周波数で上記キャパシタに発生させる鋸波発生器と、
第１の入力に結合された上記鋸波信号と、第２の入力に結合された基準信号との間の差に応じて上記第１の制御信号を発生する比較器とを有するビデオ表示装置であって、
上記鋸波発生器は、上記基準信号を上記比較器の上記第１の入力に結合し、
上記基準信号の変化は、上記比較器の上記第１の入力及び第２の入力に相互を補償する対応した変化を生じさせることを特徴とする装置。
【発明の詳細な説明】
【０００１】
【発明の属する技術分野】
本発明はビデオ機器における偏向装置の鋸波発生器に関する。
【０００２】
【従来の技術】
典型的に、テレビジョン受像機の垂直偏向回路の垂直鋸波発生器は、垂直同期信号に同期した出力鋸波信号のランプ状トレース部を生成するため直流電流源から充電される電流積分キャパシタを利用する。鋸波信号のトレース部は、陰極線管（ＣＲＴ）に垂直偏向を生じさせる垂直偏向電流のトレース部を制御する。
【０００３】
ロドリゲス−カバゾス(Rodriguez-Cavazos) による発明の名称“偏向装置用の選択可能なリトレース勾配を備えた鋸波信号発生器(A GENERATOR FOR SAWTOOTH SIGNAL WITH SELECTABLE RETRACE SLOPE FOR A DEFLECTION APPARATUS)”の米国特許第５，２１６，３３６号明細書には、垂直鋸波信号のリトレース部の開始時間が垂直同期信号により制御され、リトレース部の終了時間が比較器の出力信号により制御される鋸波発生器が記載されている。比較器は、リトレース部の間に基準電圧に応答する第１の入力端子と、鋸波信号に応答する第２の入力端子とを有する。垂直リトレースの終了時間は、鋸波信号が基準電圧と一致したとき比較器で検出される。比較器はリトレース部が終了しトレース部が開始する時間を制御する。
【０００４】
【発明が解決しようとする課題】
望ましくない妨害信号成分が基準電圧に寄生的に含まれる。かかる妨害信号成分は水平レート信号の寄生結合の結果として生じる可能性がある。飛越し走査のため、基準電圧に妨害信号成分を生じる水平レート信号の振幅及び位相は、ビデオ信号の交番フィールド内の垂直リトレースの終了時間の近傍で異なる。この基準電圧に含まれた妨害信号成分は、勾配の始まりで電圧を妨害信号成分の振幅に一致する誤差信号によって変化させる。その結果として、鋸波信号の全トレース部は妨害信号成分でオフセットされる。鋸波信号の１／５２５に達するに過ぎない妨害信号成分でも、表示されたフィールドの所望の飛越し特性を完全に除去するのに十分である。所望の飛越し特性が保持されるように、妨害信号成分によるランプ状開始電圧の変調を防止することが望ましい。
【０００５】
【課題を解決するための手段】
本発明の特徴によれば、基準電圧は鋸波信号を発生する積分器の増幅器の入力端子に結合される。従って、基準電圧中の妨害信号成分は鋸波信号に重畳される。その結果として、鋸波信号は、基準電圧中の信号妨害成分と同じ振幅及び位相を備えた信号妨害成分を含む。上記の如く、比較器は鋸波信号が基準電圧に一致する時点を検出する。同じ妨害信号成分が比較器の両方の入力端子に同時に発生されるので、高度の同相除去が妨害信号成分に対し得られる点が有利である。
【０００６】
【発明の実施の形態】
本発明の一面を具現化するビデオ表示機器は、キャパシタと、キャパシタに接続され、第１の制御信号に応答するスイッチとを含む。鋸波信号は、偏向周波数と関連した周波数でキャパシタに発生させられる。鋸波信号の勾配の第１の充電が発生する時点は、第１の制御信号に従って決められる。比較器は、鋸波信号と基準信号との間の差に応じて第１の制御信号を発生する。鋸波信号は比較器の第１の入力に結合される。基準信号は、比較器の第２の入力と、比較器の第１の入力とに結合される。基準信号の変化は、比較器の第１及び第２の入力に相互を補償する対応した変化を生じさせる。
【０００７】
【実施例】
図１には、本発明の一面を具現化する垂直鋸波発生器１００の一部が示されている。垂直鋸波発生器１００は、図２に示された垂直偏向回路１０１に接続される。例えば、ＮＴＳＣ規格に準拠するテレビジョンビデオ信号を処理する図示しないテレビ受像機のビデオ検出器により生成された垂直同期信号ＳＹＮＣは、例えば、垂直タイミング発生器１０に結合される。発生器１０は、垂直レートパルス信号ＶＲＥＳＥＴを発生する。パルス信号ＶＲＥＳＥＴは、セット−リセット式フリップフロップ１２の“セット”入力に結合され、フリップフロップ１２の状態を変化させる。従って、フリップフロップ１２の出力Ｑは、出力制御信号１１２ａの前縁ＬＥを生成する。信号ＶＲＥＳＥＴ及び出力制御信号１１２ａの前縁は、所定の垂直トレース期間の最後に発生し、垂直リトレースを開始させる。信号１１２ａは電流スイッチ１３の制御端子１３ａに結合される。前縁ＬＥの直後に、信号１１２ａによって、スイッチ１３は、直流電流ＩＤＲＡＭＰを、集積回路（ＩＣ）製造技術を用いて製造された積分キャパシタ１４の接合端子１８ａに結合させる。
【０００８】
電流ＩＤＲＡＭＰは、ディジタル／アナログ（Ｄ／Ａ）変換器１６に生成された電圧ＶＲＳＬＯＰＥにより制御される電圧／電流（Ｖ／Ｉ）変換器１５に生成される。Ｄ／Ａ変換器１６へのディジタルデータ入力は、マイクロプロセッサ１７からバスＢＵＳを介して供給される。
積分キャパシタ１４の第２の終端端子１８ｂは、鋸波信号ＶＲＡＭＰが発生される増幅器１８の出力端子を形成するトランジスタＱ５のコレクタ電極に接続される。電流ＩＤＲＡＭＰは、鋸波信号ＶＲＡＭＰのリトレース部ＲＥＴＲＡＣＥを生成する。キャパシタ１４の端子１８ａは、トランジスタＱ６のベース電極に接続され、増幅器１８の反転入力端子（−）に給電する。増幅器１８及びキャパシタ１４は、電流積分器を形成する。
【０００９】
信号ＶＲＡＭＰは、信号ＶＲＡＭＰのリトレース部ＲＥＴＲＡＣＥの終了時間ＴＥＮＤを判定するため、リトレース部ＲＥＴＲＡＣＥの間に信号ＶＲＡＭＰのレベルを感知する比較器１９の非反転入力端子にも結合される。比較器１９の反転入力端子は、以下に説明される方法で発生される直流基準電圧ＶＬＯＷの図２に示されたソース１０１に結合される。比較器１９の出力端子１９ａはフリップフロップ１２の“リセット”入力Ｒに接続される。
【００１０】
電流ＩＤＲＡＭＰの結果として、信号ＶＲＡＭＰは、下向きに傾斜し、時点ＴＥＮＤで電圧ＶＬＯＷに一致するレベルに達する。比較器１９は、フリップフロップ１２に状態を変化させ、出力Ｑに信号１１２ａの後縁を生じさせる出力信号を生成する。その後、電流ＩＤＲＡＭＰは、スイッチ１３によりキャパシタ１４から減結合される。電流ＩＤＲＡＭＰの振幅は、信号ＶＲＡＭＰのリトレース部ＲＥＴＲＡＣＥのリトレース勾配又は長さを与えるためＤ／Ａ変換器１６へのディジタルデータ入力の値に従ってプログラム可能である。
【００１１】
電流ＩＤＲＡＭＰよりも実質的に小さい直流電流ＩＵＲＡＭＰは、Ｖ／Ｉ変換器２１において生成される。信号１１２ａの後縁の後、キャパシタ１４の端子１８ａに結合された電流ＩＵＲＡＭＰは、図１の鋸波信号ＶＲＡＭＰのランプ状トレース部ＴＲＡＣＥを生成するためキャパシタ１４を充電する。図１のＶ／Ｉ変換器２１の電流ＩＵＲＡＭＰの振幅は、キャパシタ２２の両端間に発生された電圧ＶＡＧＣにより自動利得制御（ＡＧＣ）フィードバックループで制御される。電圧ＶＡＧＣは、電圧ＶＡＧＣが正側に大きくなると共に、電流ＩＵＲＡＭＰが小さくなるようにＶ／Ｉ変換器２１を制御する。自動利得制御ストローブ信号ＡＧＣＳＴＲは、スイッチ２４の制御端子２４ａに結合される。
【００１２】
信号ＡＧＣＳＴＲは、上記のロドリゲス−カバゾスの特許に記載された方法と同様に垂直トレースの最後の近傍で垂直タイミング発生器１０において生成される。信号ＡＧＣＳＴＲは、例えば、水平ビデオラインの長さ、又は、６４ミリ秒に一致するパルス幅を有する。信号ＡＧＣＳＴＲのパルスの発生中に、Ｖ／Ｉ変換器２３において発生された電流ＩＯＵＴは、スイッチ２４を介してキャパシタ２２に結合される。信号ＡＧＣＳＴＲのパルスの発生を除いて、キャパシタ２２は、サンプルホールド動作を与えるため、その電圧を略一定レベルに維持する。Ｖ／Ｉ変換器２３において制御される電流ＩＯＵＴの振幅は、信号ＶＲＡＭＰと、以下に説明する方法で生成された基準電圧ＶＨＩＧＨとの差に比例する。
【００１３】
所定のトレース期間中に、ストローブ信号ＡＧＣＳＴＲが発生したとき、信号ＶＲＡＭＰの振幅が、例えば、電圧ＶＨＩＧＨよりも小さくされるならば、電流ＩＯＵＴは、正であり、かつ、電圧ＶＨＩＧＨと信号ＶＲＡＭＰとの間の差に比例した振幅を有する。正の電流ＩＯＵＴは、キャパシタ２２の電圧ＶＡＧＣの減少を生じさせる。従って、次の垂直トレース期間において、電流ＩＵＲＡＭＰは大きくなり、信号ＶＲＡＭＰの増加率は、上記の信号ＶＲＡＭＰの傾向が要求されるよりも小さくなるよう補償される態様で前よりも大きくなる。かくして、ＡＧＣフィードバックループは、ストローブ信号ＡＧＣＳＴＲが発生したとき、信号ＶＲＡＭＰの振幅を電圧ＶＨＩＧＨと同一のレベルにさせる。
【００１４】
信号ＶＲＡＭＰは、図示しない態様でＳ字成形を与えるため補正された波形であり、例えば、垂直偏向巻線Ｌｙに垂直偏向電流ｉｙを生成する直流結合線形垂直偏向回路１１に直流結合される。
図２には、図１の電圧ＶＨＩＧＨ及びＶＬＯＷを発生させる上記の配置１０１が示されている。配置１０１は、７．７ボルトの電源電圧ＶＣＣに接続された端子を有する抵抗Ｒ９を含む。抵抗Ｒ９の第２の端子１０１ａは、抵抗Ｒ８に接続される。抵抗Ｒ８の端子１０１ｃは、抵抗Ｒ７及びＲ６の直列配置に接続される。抵抗Ｒ７及びＲ６の直列配置は、端子１０１ｃと端子１０１ｂとの間に接続される。抵抗Ｒ５は端子１０１ｂと接地との間に接続される。抵抗Ｒ１１Ａ及び抵抗Ｒ１０Ａからなる第２の直列配置は、抵抗Ｒ７及び抵抗Ｒ６の直列配置と並列に端子１０１ｂと端子１０１ｃとの間に接続される。上記のロドリゲス−カバゾスの特許明細書に記載されているように、電圧ＶＬＯＷは端子１０１ｂに発生され、電圧ＶＨＩＧＨは端子１０１ｃに発生される。
【００１５】
図２のＶ／Ｉ変換器５０は、図１のマイクロプロセッサ１７からバスＢＵＳを介して受けられた入力データにより制御され、図２のＤ／Ａ変換器５１を介して、図２のダイオード構造に接続されたトランジスタＱ１のベース及びコレクタの両方に結合された直流電流ＩＨＥＩＧＨＴを生成する。トランジスタＱ１のベース及びコレクタは、電流ＩＨＥＩＧＨＴに一致するトランジスタＱ３のコレクタ電流を制御するトランジスタＱ３のベースに接続される。トランジスタＱ３のコレクタは、抵抗Ｒ５と抵抗Ｒ６との間で端子１０１ｂに接続される。トランジスタＱ４のコレクタ電極及びベース電極はダイオード構造の形に互いに接続され、トランジスタＱ３の電流を供給するトランジスタＱ３のエミッタに接続される。トランジスタＱ４のエミッタは、抵抗Ｒ２を介して端子１０１ａに接続される。トランジスタＱ２のベースはトランジスタＱ４のベース及びコレクタに接続される。トランジスタＱ２のエミッタは、抵抗Ｒ１を介して端子１０１ａに接続される。トランジスタＱ２のコレクタは、トランジスタＱ１のコレクタ電流を供給するトランジスタＱ１のエミッタに接続される。
【００１６】
トランジスタＱ１、Ｑ２、Ｑ３及びＱ４は、温度補償された電流ミラー配置を形成する。抵抗Ｒ１及び抵抗Ｒ２を夫々流れるトランジスタＱ２及びトランジスタＱ４のエミッタ電流の和は、端子１０１ａを介して供給され、電流ＩＨＥＩＧＨＴの２倍の値に一致する。一方、端子１０１ｂに結合されたトランジスタＱ３のコレクタ電流は、電流ＩＨＥＩＧＨＴに一致する。
【００１７】
電流ＩＨＥＩＧＨＴのレベルは、電圧ＶＨＩＧＨ及び電圧ＶＬＯＷのレベルを確定することにより図１の信号ＶＲＡＭＰの要求されるピークトウピーク振幅を確定するため制御される。上記のロドリゲス−カバゾスの特許明細書に記載されているように、電流ＩＨＥＩＧＨＴの調整によって電圧ＶＨＩＧＨと電圧ＶＬＯＷは逆向きに変化する。
【００１８】
図１のマイクロプロセッサ１７からのバスＢＵＳと、Ｄ／Ａ変換器５３とを介して受けられた入力データにより制御されるＶ／Ｉ変換器５２は、図２の直流電流ＩＣＥＮＴＥＲを生成する。電流ＩＣＥＮＴＥＲは抵抗Ｒ６と抵抗Ｒ７との間に結合される。電流ＩＣＥＮＴＥＲは、垂直センタリングを調整するように電圧ＶＬＯＷ及び電圧ＶＨＩＧＨを調整することにより、信号ＶＲＡＭＰの平均値の調整を行う。
【００１９】
電圧ＶＬＯＷは図１の増幅器１８のトランジスタＱ８のベース電極に接続される。トランジスタＱ８のベース電極は、増幅器１８の非反転入力端子を形成する。トランジスタＱ８は、ダイオード構造式にベース電極に接続されたコレクタ電極を有する。トランジスタＱ８のエミッタ電極は、増幅器１８のトランジスタＱ７のベース電極に接続される。トランジスタＱ７及びトランジスタＱ５のエミッタ電極は、相互に接続され、並びに、コモンエミッタ抵抗Ｒ１８に接続される。かくして、トランジスタＱ５、Ｑ６、Ｑ７及びＱ８は、温度補償された差動増幅器を形成する。
【００２０】
妨害信号成分が信号ＶＲＡＭＰの時間ＴＥＮＤの近傍で電圧ＶＬＯＷに含まれている場合を仮定する。かかる妨害信号成分は、図示しないビデオ機器の他の部品から電圧ＶＣＣを供給するため、水平レート信号の寄生結合の結果として生じる。飛越し走査のため、電圧ＶＬＯＷに妨害信号成分を生成する可能性のある水平レート信号の振幅及び位相は、図示しないビデオ信号の交番フィールド内の信号ＶＲＡＭＰの時間ＴＥＮＤの近傍で異なる。
【００２１】
本発明の特徴によれば、電圧ＶＬＯＷは増幅器１８の非反転入力端子に結合されるので、電圧ＶＬＯＷの妨害信号成分は、信号ＶＲＡＭＰにも重畳される。従って、信号ＶＲＡＭＰは、電圧ＶＬＯＷの妨害信号成分と同一の振幅及び位相を備えた妨害信号成分を含む。上記の如く、比較器１９は、信号ＶＲＡＭＰと電圧ＶＬＯＷとが一致したとき、信号ＶＲＡＭＰのリトレース部ＲＥＴＲＡＣＥの終了時間ＴＥＮＤを判定するため、リトレース部ＲＥＴＲＡＣＥ中に信号ＶＲＡＭＰのレベルを感知又は検出する。
【００２２】
【発明の効果】
比較器１９の反転入力端子及び非反転入力端子の両方の妨害信号成分は、同一の振幅及び位相を有するので、電圧ＶＬＯＷの妨害信号成分に対し高度の同相除去が与えられる点が有利である。従って、フリップフロップ１２の出力信号１１２ａの縁の時間ＴＥは、妨害信号成分による影響を受けない。この結果として、信号ＶＲＡＭＰの終了時間ＴＥＮＤも影響を受けないという利点がある。終了時間ＴＥＮＤが電圧ＶＬＯＷの妨害信号成分による影響を受けるならば、信号ＶＲＡＭＰのトレース部ＴＲＡＣＥは、望ましくない位相変調を受ける可能性がある。
【図面の簡単な説明】
【図１】本発明の一面を具現化する垂直鋸波発生器を示す図である。
【図２】本発明の一面を具現化する垂直鋸波発生器を示す図である。
【符号の説明】
１０    垂直タイミング発生器
１１    垂直偏向増幅器
１２    フリップフロップ
１３，２４    スイッチ
１３ａ，２４ａ    制御端子
１４    積分キャパシタ
１５，２１，２３，５０，５２    電圧／電流（Ｖ／Ｉ）変換器
１６，５１，５３    ディジタル／アナログ（Ｄ／Ａ）変換器
１７    マイクロプロセッサ
１８    増幅器
１８ａ    接合端子
１８ｂ    終端端子
１９    比較器
１９ａ    出力端子
２２    キャパシタ
１００    垂直鋸波発生器
１０１    垂直偏向回路
１０１ａ，１０１ｂ，１０１ｃ，１０１ｄ    端子
１１２ａ    出力制御信号
【図１】
0003882955.tif 000002
【図２】
0003882955.tif 000003